(57)【要約】【課題】光路内に光路折り曲げ素子を備え、広角端状態における画角が７７度以上の小型のズームレンズを提供する。【解決手段】物体側から順に、負の屈折力を有する第１レンズ群Ｇ１と、正の屈折力を有する第２レンズ群Ｇ２と、正の屈折力を有する第３レンズ群Ｇ３とを有し、広角端状態（Ｗ）から望遠端状態（Ｔ）への変倍に際して、第１レンズ群Ｇ１は固定であり、第１レンズ群Ｇ１と第２レンズ群Ｇ２との空気間隔及び第２レンズ群Ｇ２と第３レンズ群Ｇ３との空気間隔を変化させ、第１レンズ群Ｇ１は、光路折り曲げ光学素子Ｐを有し、かつ当該光路折り曲げ光学素子Ｐよりも物体側に、負レンズと、正レンズ成分とを少なくとも有していることを特徴とする。【選択図】図１
2007093984.tif 000002
【特許請求の範囲】
【請求項１】
物体側から順に、負の屈折力を有する第１レンズ群と、正の屈折力を有する第２レンズ群と、正の屈折力を有する第３レンズ群とを有し、
広角端状態から望遠端状態への変倍に際して、前記第１レンズ群は固定であり、前記第１レンズ群と前記第２レンズ群との空気間隔及び前記第２レンズ群と前記第３レンズ群との空気間隔を変化させ、
前記第１レンズ群は、光路折り曲げ光学素子を有し、かつ当該光路折り曲げ光学素子よりも物体側に、負レンズと、正レンズ成分とを少なくとも有していることを特徴とするズームレンズ。
【請求項２】
前記光路折り曲げ光学素子はプリズムであって、
以下の条件式を満足することを特徴とする請求項１に記載のズームレンズ。
１＜Ｌ１／ｆｗ＜３
但し、
Ｌ１：前記第１レンズ群中の最も物体側のレンズ面から前記プリズムの入射面までの光軸上の距離
ｆｗ：広角端状態における前記ズームレンズ全系の焦点距離
【請求項３】
前記第１レンズ群中の最も物体側のレンズは、物体側に凸面を向けた負メニスカスレンズであり、
以下の条件式を満足することを特徴とする請求項１又は請求項２に記載のズームレンズ。
２＜０．１（ν１−ν２）＋ｎ１＜４
但し、
ｎ１：前記負メニスカスレンズの材質のｄ線（λ＝５８７．６ｎｍ）に対する屈折率
ν１：前記負メニスカスレンズの材質のｄ線（λ＝５８７．６ｎｍ）に対するアッベ数
ν２：前記正レンズ成分中の正レンズの材質のｄ線（λ＝５８７．６ｎｍ）に対するアッベ数
【請求項４】
以下の条件式を満足することを特徴とする請求項１から請求項３のいずれか１項に記載のズームレンズ。
−０．７＜ｆ１／ｆ２＜−０．４
但し、
ｆ１：前記第１レンズ群の焦点距離
ｆ２：前記第２レンズ群の焦点距離
【請求項５】
前記第３レンズ群の像側に、広角端状態から望遠端状態への変倍に際して固定である正の屈折力を有する第４レンズ群を有していることを特徴とする請求項１から請求項４のいずれか１項に記載のズームレンズ。
【発明の詳細な説明】
【技術分野】
【０００１】
本発明は、デジタルカメラ等に内蔵される小型のズームレンズに関する。
【背景技術】
【０００２】
近年、従来のフィルムカメラにかわり、ＣＣＤ（Charge-coupled device）をはじめとする固体撮像素子を利用したいわゆるデジタルスチルカメラやビデオカメラが普及している。これらのカメラに用いられている個体撮像素子用のレンズは、従来のフィルムカメラに用いられているレンズに比べて画面サイズが小さいため、小型化を図ることが可能である。そして、特にカメラの小型化や薄型化を図るために、レンズの光路内に反射部材を配置して光路を折り曲げた構成のレンズが提案されている（例えば、特許文献１,２を参照。）。
【特許文献１】特開平8-248318号公報
【特許文献２】特開平10-20191号公報
【発明の開示】
【発明が解決しようとする課題】
【０００３】
ところが、上述した特許文献１や特許文献２に開示されているレンズは、高い変倍比が得られるものの、広角端状態での画角が６０度前後であって、スチルカメラにおける広角化の要望を満たすものであるとは言えない。また、第１レンズ群が正の屈折力を有しているため、広角化すればするほど前玉径が巨大化してしまうという欠点を有している。
また、さらに特許文献２に開示されているレンズは、反射部材の物体側及び像側に可動レンズを有する構成であるため、レンズの薄型化を図ることが困難であるという欠点を有している。
【０００４】
そこで本発明は上記問題点に鑑みてなされたものであり、光路内に光路折り曲げ素子を備え、広角端状態における画角が７７度以上の小型のズームレンズを提供することを目的とする。
【課題を解決するための手段】
【０００５】
上記課題を解決するために本発明は、
物体側から順に、負の屈折力を有する第１レンズ群と、正の屈折力を有する第２レンズ群と、正の屈折力を有する第３レンズ群とを有し、
広角端状態から望遠端状態への変倍に際して、前記第１レンズ群は固定であり、前記第１レンズ群と前記第２レンズ群との空気間隔及び前記第２レンズ群と前記第３レンズ群との空気間隔を変化させ、
前記第１レンズ群は、光路折り曲げ光学素子を有し、かつ当該光路折り曲げ光学素子よりも物体側に、負レンズと、正レンズ成分とを少なくとも有していることを特徴とするズームレンズを提供する。
【０００６】
また本発明のズームレンズは、
前記光路折り曲げ光学素子はプリズムであって、
以下の条件式（１）を満足することが望ましい。
（１）  １＜Ｌ１／ｆｗ＜３
但し、
Ｌ１：前記第１レンズ群中の最も物体側のレンズ面から前記プリズムの入射面までの光軸上の距離
ｆｗ：広角端状態における前記ズームレンズ全系の焦点距離
【０００７】
また本発明のズームレンズは、
前記第１レンズ群中の最も物体側のレンズは、物体側に凸面を向けた負メニスカスレンズであり、
以下の条件式（２）を満足することが望ましい。
（２）  ２＜０．１（ν１−ν２）＋ｎ１＜４
但し、
ｎ１：前記負メニスカスレンズの材質のｄ線（波長λ＝５８７．６ｎｍ）に対する屈折率
ν１：前記負メニスカスレンズの材質のｄ線（波長λ＝５８７．６ｎｍ）に対するアッベ数
ν２：前記正レンズ成分中の正レンズの材質のｄ線（波長λ＝５８７．６ｎｍ）に対するアッベ数
【０００８】
また本発明のズームレンズは、
以下の条件式（３）を満足することが望ましい。
（３）−０．７＜ｆ１／ｆ２＜−０．４
但し、
ｆ１：前記第１レンズ群の焦点距離
ｆ２：前記第２レンズ群の焦点距離
【０００９】
また本発明のズームレンズは、
前記第３レンズ群の像側に、広角端状態から望遠端状態への変倍に際して固定である正の屈折力を有する第４レンズ群を有していることが望ましい。
【発明の効果】
【００１０】
本発明によれば、光路内に光路折り曲げ素子を備え、広角端状態における画角が７７度以上の小型のズームレンズを提供することができる。
【発明を実施するための最良の形態】
【００１１】
以下、本発明のズームレンズについて、後述する本発明の第１実施例に係るズームレンズの構成を示す図１を参照して説明する。
本発明のズームレンズは、光軸に沿って物体側から順に、負の屈折力を有する第１レンズ群Ｇ１と、正の屈折力を有する第２レンズ群Ｇ２と、正の屈折力を有する第３レンズ群Ｇ３とを有し、広角端状態から望遠端状態への変倍に際して、第１レンズ群Ｇ１は固定であり、第１レンズ群Ｇ１と第２レンズ群Ｇ２との光軸上の空気間隔及び第２レンズ群Ｇ２と第３レンズ群Ｇ３との光軸上の空気間隔を変化させ、第１レンズ群Ｇ１は、光路折り曲げ光学素子Ｐを有し、かつ当該光路折り曲げ光学素子Ｐよりも物体側に、負レンズと、正レンズ成分とを少なくとも有している。
【００１２】
前述のように第１レンズ群Ｇ１として負の屈折力を有するレンズ群を配置することにより、レンズを広角化する場合でも前玉径が巨大化してしまうことがない。また、光路折り曲げ光学素子Ｐよりも物体側に負レンズと正レンズ成分とを少なくとも配置することにより、レンズを広角化する際に倍率色収差及び歪曲収差を良好に補正することができる。
ここで、本明細書及び請求の範囲では、単レンズ、及び接合レンズを含む表現として「レンズ成分」を用いている。
【００１３】
また本発明のズームレンズは、小型化を図りかつ歪曲収差を良好に補正するために、光路折り曲げ光学素子Ｐはプリズムであって、以下の条件式（１）を満足することが望ましい。
（１）  １＜Ｌ１／ｆｗ＜３
但し、
Ｌ１：第１レンズ群Ｇ１中の最も物体側のレンズ面からプリズムＰの入射面までの光軸上の距離
ｆｗ：広角端状態における前記ズームレンズ全系の焦点距離
【００１４】
本発明のズームレンズにおいて条件式（１）の対応値が当該条件式（１）の上限値を上回ると、コマ収差の補正には有利であるが、前玉径の大型化を避けることができず、歪曲収差を補正することが困難になってしまう。
一方、本発明のズームレンズにおいて条件式（１）の対応値が当該条件式（１）の下限値を下回ると、本発明の目的である広角化を達成することができず、かつコマ収差を補正することが困難になってしまう。
なお、条件式（１）の下限値を１．５に設定すれば、本発明のズームレンズにおいてコマ収差をより良好に補正することができる。
【００１５】
また本発明のズームレンズは、色収差を良好に補正するために、第１レンズ群Ｇ１中の最も物体側のレンズは、物体側に凸面を向けた負メニスカスレンズであり、以下の条件式（２）を満足することが望ましい。
（２）  ２＜０．１（ν１−ν２）＋ｎ１＜４
但し、
ｎ１：前記負メニスカスレンズの材質のｄ線（波長λ＝５８７．６ｎｍ）に対する屈折率
ν１：前記負メニスカスレンズの材質のｄ線（波長λ＝５８７．６ｎｍ）に対するアッベ数
ν２：前記正レンズ成分中の正レンズの材質のｄ線（波長λ＝５８７．６ｎｍ）に対するアッベ数
【００１６】
本発明のズームレンズにおいて条件式（２）の対応値が当該条件式（２）の上限値を上回ると、広角端状態において倍率色収差を補正することが困難になってしまう。
一方、本発明のズームレンズにおいて条件式（２）の対応値が当該条件式（２）の下限値を下回ると、望遠端状態において軸上色収差を補正することが困難になってしまう。
なお、条件式（２）の上限値を３．２に設定すれば、本発明のズームレンズにおいて広角端状態での画角を広げながら色収差をより良好に補正することができる。
【００１７】
また本発明のズームレンズは、小型化を図りながら変倍比を確保するために、以下の条件式（３）を満足することが望ましい。
（３）−０．７＜ｆ１／ｆ２＜−０．４
但し、
ｆ１：第１レンズ群Ｇ１の焦点距離
ｆ２：第２レンズ群Ｇ２の焦点距離
【００１８】
本発明のズームレンズにおいて条件式（３）の対応値が当該条件式（３）の下限値を下回ると、広角化しながら変倍比を確保することが困難であり、変倍比を確保しようとすれば球面収差を補正することが困難になってしまう。
一方、本発明のズームレンズにおいて条件式（３）の対応値が当該条件式（３）の上限値を上回ると、レンズの大型化を招き、かつペッツバール和が悪化し像面湾曲が大きくなってしまう。
なお、上述の理由から条件式（３）の下限値を−０．６６に設定すれば、本発明の効果を最大限に発揮することができる。
【００１９】
また本発明のズームレンズは、第３レンズ群Ｇ３の像側に、広角端状態から望遠端状態への変倍に際して固定である正の屈折力を有する第４レンズ群Ｇ４を有していることが望ましい。これにより、撮像素子に対して最適な射出瞳距離を確保することができる。
【００２０】
以下、添付図面に基づいて本発明の各実施例に係るズームレンズについて説明する。
（第１実施例）
図２は、本発明の第１実施例に係るズームレンズの構成、及び各レンズ群の移動軌跡を示す展開図である。なお図１は、本ズームレンズの光路が折り曲がっている様子を示す構成図である。
本実施例に係るズームレンズは、光軸に沿って物体側から順に、負の屈折力を有する第１レンズ群Ｇ１と、正の屈折力を有する第２レンズ群Ｇ２と、正の屈折力を有する第３レンズ群Ｇ３と、正の屈折力を有する第４レンズ群Ｇ４とからなる。
【００２１】
第１レンズ群Ｇ１は、光軸に沿って物体側から順に、物体側に凸面を向けた負メニスカスレンズＬ１１と、両凸形状の正レンズＬ１２と、物体側に凸面を向けた負メニスカスレンズＬ１３と、光路を折り曲げるためのプリズムＰと、両凹形状の負レンズＬ１４と両凸形状の正レンズＬ１５との接合レンズとからなる。
第２レンズ群Ｇ２は、光軸に沿って物体側から順に、開口絞りＳと、両凸形状の正レンズＬ２１と、両凸形状の正レンズＬ２２と両凹形状の負レンズＬ２３との接合レンズと、物体側に凸面を向けた正メニスカスレンズＬ２４とからなる。
【００２２】
第３レンズ群Ｇ３は、光軸に沿って物体側から順に、物体側に凸面を向けた正メニスカスレンズＬ３１と、物体側に凸面を向けた負メニスカスレンズＬ３２と、フレア絞りＦＳとからなる。
第４レンズ群Ｇ４は、光軸に沿って物体側から順に、物体側に凸面を向けた負メニスカスレンズＬ４１と、両凸形状の正レンズＬ４２とからなる。
【００２３】
本実施例に係るズームレンズにおいて、第４レンズ群Ｇ４と像面Ｉとの間には、光軸に沿って物体側から順に、撮像素子の限界解像以上の空間周波数をカットするローパスフィルタＰ１と、撮像素子の保護ガラスＰ２とが備えられている。
また、本実施例に係るズームレンズにおいてプリズムＰは、図１に示すように光路を略９０度折り曲げるための直角プリズムである。
以上の構成の下、本実施例に係るズームレンズにおいて、広角端状態（Ｗ）から望遠端状態（Ｔ）への変倍は、第１レンズ群Ｇ１及び第４レンズ群Ｇ４が固定であり、第２レンズ群Ｇ２及び第３レンズ群Ｇ３を光軸に沿って移動させることによって行われる。
【００２４】
以下の表１に、本発明の第１実施例に係るズームレンズの諸元の値を掲げる。
［全体諸元］において、ｆは焦点距離、Ｂｆはバックフォーカス、ＦＮＯはＦナンバー、２Ａは画角、Ｙは像高をそれぞれ示す。
［レンズデータ］において、面番号は物体側からのレンズ面の順序、ｒはレンズ面の曲率半径、ｄはレンズ面の間隔をそれぞれ示す。また、νｄはｄ線（波長λ＝５８７．６ｎｍ）に対するアッベ数、ｎｄはｄ線（波長λ＝５８７．６ｎｍ）に対する屈折率をそれぞれ示す。さらに、レンズデータ中の非球面には、米印（*）を付して曲率半径ｒの欄には近軸曲率半径を示し、κ及び各非球面係数は［非球面データ］の欄に記載する。
【００２５】
［非球面データ］において、「E-n」は「×１０−ｎ」を示す。諸元表に示す非球面は、光軸から垂直方向の高さｙにおける各非球面の頂点の接平面から光軸方向に沿った距離（サグ量）をＸ（ｙ）、基準球面の曲率半径をｒ、円錐係数をκ、ｎ次の非球面係数をＣnとするとき、以下の非球面式で表される。なお、０（ゼロ）となる非球面係数はその記載を省略している。
Ｘ（ｙ）＝（ｙ２／ｒ）／〔１＋（１−κ・ｙ２／ｒ２）１／２〕
＋Ｃ4・ｙ４＋Ｃ6・ｙ６＋Ｃ8・ｙ８
【００２６】
［レンズデータ］及び「可変間隔データ」において、Bfはバックフォーカスを示す。
ここで、以下の全ての諸元値において掲載されている焦点距離ｆ、曲率半径ｒ、その他長さの単位は一般に「ｍｍ」が使われる。しかし光学系は、比例拡大又は比例縮小しても同等の光学性能が得られるため、これに限られるものではない。
なお、以下の全ての実施例の諸元値においても、本実施例と同様の符号を用いる。
【００２７】
（表１）
［全体諸元］
ｆ    ＝   4.7   〜  10.9
Ｂｆ  ＝   0.59
ＦＮＯ＝   3.08  〜   4.99
２Ａ  ＝  84.96  〜  37.64゜
Ｙ    ＝   3.75
［レンズデータ］
面番号   ｒ       ｄ     νｄ    ｎｄ
1)  227.0000  1.2000  40.77  1.883000
2)   14.4100  3.2000         1.000000
3)   37.5000  2.8000  30.13  1.698950
4)  -37.5000  2.4000         1.000000
5)   21.9689  0.8000  40.77  1.883000
6)    6.1015  1.6500         1.000000
7)     ∞     7.7000  46.58  1.804000  プリズムＰ
8)     ∞     0.3000         1.000000
9)  -25.0938  0.8000  40.77  1.883000
10)   42.3960  1.8000  24.06  1.821140
*11)  -20.4320   (D1)          1.000000
12>     ∞     0.0000         1.000000  開口絞りＳ
*13)    7.6923  2.1000  61.18  1.589130
14)  -24.9919  0.2000         1.000000
15)   12.7999  2.0000  81.61  1.497000
16)  -12.7999  1.7000  36.26  1.620040
17)    5.2389  0.8000         1.000000
18)   23.5381  1.2000  55.34  1.677900
19)  131.5104   (D2)          1.000000
20)    9.9222  1.3000  81.61  1.497000
21)   25.8023  0.2000         1.000000
22)    8.3050  1.2000  25.43  1.805180
23)    6.5377  0.9000         1.000000
24)     ∞      (D3)          1.000000  フレア絞りＦＳ
25)    9.2034  0.8000  54.84  1.691000
26)    6.4052  0.8500         1.000000
27)   16.7948  2.0000  61.18  1.589130
28)  -16.7948  0.3000         1.000000
29)     ∞     1.5200  70.51  1.544370  ローパスフィルタＰ１
30)     ∞     0.5319         1.000000
31)     ∞     0.5000  64.14  1.516330  保護ガラスＰ２
32)     ∞      (Bf)          1.000000
［非球面データ］
面番号    κ        Ｃ4          Ｃ6          Ｃ8
11)   -7.3287  -2.36400E-04 -5.27710E-07 -1.74530E-08
13)   -0.0148  -4.02620E-06  3.32450E-07 -7.80010E-09
［可変間隔データ］
広角端状態  中間焦点距離状態  望遠端状態
ｆ      4.70000        7.00000       10.90000
D1     13.00176        7.62573        2.88168
D2      1.09141        4.57826        0.95114
D3      3.61908        5.50827       13.87943
Bf      0.59000        0.59000        0.59000
［条件式対応値］
（１）Ｌ１／ｆｗ＝2.564
（２）０．１（ν１−ν２）＋ｎ１＝2.947
（３）ｆ１／ｆ２＝-0.574
【００２８】
図３（ａ），（ｂ），（ｃ）はそれぞれ、本発明の第１実施例に係るズームレンズの広角端状態，中間焦点距離状態，望遠端状態における無限遠合焦時の諸収差図を示す。
各収差図において、ＦＮＯはＦナンバー、Ｙは像高をそれぞれ示す。また、非点収差図及び歪曲収差図においては像高Ｙの最大値を示す。また、ｄ，ｇ、Ｃ、Ｆはそれぞれ、ｄ線（波長λ＝５８７．６ｎｍ），ｇ線（波長λ＝４３５．８ｎｍ），Ｃ線（波長λ＝６５６．３ｎｍ），Ｆ線（波長λ＝４８６．１ｎｍ）の収差曲線を示している。
【００２９】
球面収差図において、ＦＮＯは最大口径に対応するＦナンバーの値を示す。
非点収差図において、実線はサジタル像面、点線はメリディオナル像面をそれぞれ示す。
コマ収差図は、各像高におけるコマ収差をそれぞれ表している。
なお、以下に示す各実施例の諸収差図において、本実施例と同様の符号を用いる。
各諸収差図より本実施例に係るズームレンズは、広い画角にわたって諸収差を良好に補正し、優れた結像性能を有していることがわかる。
【００３０】
（第２実施例）
図４は、本発明の第２実施例に係るズームレンズの構成、及び各レンズ群の移動軌跡を示す展開図である。
本実施例に係るズームレンズは、光軸に沿って物体側から順に、負の屈折力を有する第１レンズ群Ｇ１と、正の屈折力を有する第２レンズ群Ｇ２と、正の屈折力を有する第３レンズ群Ｇ３と、正の屈折力を有する第４レンズ群Ｇ４とからなる。
【００３１】
第１レンズ群Ｇ１は、光軸に沿って物体側から順に、物体側に凸面を向けた負メニスカスレンズＬ１１と、両凸形状の正レンズＬ１２と、物体側に凸面を向けた負メニスカスレンズＬ１３と、光路を折り曲げるためのプリズムＰと、両凹形状の負レンズＬ１４と両凸形状の正レンズＬ１５との接合レンズとからなる。
第２レンズ群Ｇ２は、光軸に沿って物体側から順に、開口絞りＳと、両凸形状の正レンズＬ２１と、両凸形状の正レンズＬ２２と両凹形状の負レンズＬ２３との接合レンズと、物体側に凸面を向けた正メニスカスレンズＬ２４とからなる。
【００３２】
第３レンズ群Ｇ３は、光軸に沿って物体側から順に、物体側に凸面を向けた正メニスカスレンズＬ３１と、物体側に凸面を向けた負メニスカスレンズＬ３２と、フレア絞りＦＳとからなる。
第４レンズ群Ｇ４は、光軸に沿って物体側から順に、物体側に凸面を向けた負メニスカスレンズＬ４１と、両凸形状の正レンズＬ４２とからなる。
【００３３】
本実施例に係るズームレンズにおいて、第４レンズ群Ｇ４と像面Ｉとの間には、光軸に沿って物体側から順に、撮像素子の限界解像以上の空間周波数をカットするローパスフィルタＰ１と、撮像素子の保護ガラスＰ２とが備えられている。
また、本実施例に係るズームレンズにおいてプリズムＰは、上記第１実施例におけるプリズムと同様に光路を略９０度折り曲げるための直角プリズムである。
【００３４】
以上の構成の下、本実施例に係るズームレンズにおいて、広角端状態（Ｗ）から望遠端状態（Ｔ）への変倍は、第１レンズ群Ｇ１及び第４レンズ群Ｇ４が固定であり、第２レンズ群Ｇ２及び第３レンズ群Ｇ３を光軸に沿って移動させることによって行われる。
以下の表２に、本発明の第２実施例に係るズームレンズの諸元の値を掲げる。
【００３５】
（表２）
［全体諸元］
ｆ    ＝   4.7   〜  11.7
Ｂｆ  ＝   0.59
ＦＮＯ＝   3.03  〜   5.11
２Ａ  ＝  83.12  〜  35.0゜
Ｙ    ＝   3.75
［レンズデータ］
面番号   ｒ       ｄ     νｄ    ｎｄ
1)   41.7459  1.0000  37.17  1.834000
2)    8.8616  3.2000         1.000000
*3)   18.1472  2.4000  31.07  1.688930
*4)  -46.6869  0.1000         1.000000
5)   21.9689  0.8000  40.77  1.883000
6)    6.1015  1.6500         1.000000
7)     ∞     7.7000  46.58  1.804000  プリズムＰ
8)     ∞     0.3000         1.000000
9)  -25.0938  0.8000  40.77  1.883000
10)   42.3960  1.8000  24.06  1.821140
*11)  -20.4320   (D1)          1.000000
12>     ∞     0.0000         1.000000  開口絞りＳ
*13)    7.6923  2.1000  61.18  1.589130
14)  -24.9919  0.2000         1.000000
15)   12.7999  2.0000  81.61  1.497000
16)  -12.7999  1.7000  36.26  1.620040
17)    5.2389  0.8000         1.000000
18)   23.5381  1.2000  55.34  1.677900
19)  131.5104   (D2)          1.000000
20)    9.9222  1.3000  81.61  1.497000
21)   25.8023  0.2000         1.000000
22)    8.3050  1.2000  25.43  1.805180
23)    6.5377  0.9000         1.000000
24)     ∞      (D3)          1.000000  フレア絞りＦＳ
25)    9.2034  0.8000  54.84  1.691000
26)    6.4052  0.8500         1.000000
27)   16.7948  2.0000  61.18  1.589130
28)  -16.7948  0.3000         1.000000
29)     ∞     1.5200  70.51  1.544370  ローパスフィルタＰ１
30)     ∞     0.5310         1.000000
31)     ∞     0.5000  64.14  1.516330  保護ガラスＰ２
32)     ∞      (Bf)          1.000000
［非球面データ］
面番号    κ        Ｃ4          Ｃ6          Ｃ8
3)    1.0000  -1.30620E-04 -6.01210E-06 -1.38540E-07
4)   34.2706  -1.85320E-04 -8.15630E-06  3.13170E-08
11)   -7.3287  -2.36400E-04 -5.27710E-07 -1.74530E-08
13)   -0.0148  -4.02620E-06  3.32450E-07 -7.80010E-09
［可変間隔データ］
広角端状態  中間焦点距離状態  望遠端状態
ｆ      4.70000        7.40000       11.70000
D1     13.30766        7.13016        2.27449
D2      1.03126        5.20699        0.93668
D3      3.37334        5.37511       14.50109
Bf      0.59000        0.59000        0.59000
［条件式対応値］
（１）Ｌ１／ｆｗ＝1.947
（２）０．１（ν１−ν２）＋ｎ１＝2.444
（３）ｆ１／ｆ２＝-0.595
【００３６】
図５（ａ），（ｂ），（ｃ）はそれぞれ、本発明の第２実施例に係るズームレンズの広角端状態，中間焦点距離状態，望遠端状態における無限遠合焦時の諸収差図を示す。
各諸収差図より本実施例に係るズームレンズは、広い画角にわたって諸収差を良好に補正し、優れた結像性能を有していることがわかる。
また、本実施例に係るズームレンズは、第１レンズ群Ｇ１中の最も物体側の両凸形状の正レンズＬ１２を非球面レンズで構成することによって、上記第１実施例よりも小型化を図りながら、変倍比の拡大を達成している。
【００３７】
（第３実施例）
図６は、本発明の第３実施例に係るズームレンズの構成、及び各レンズ群の移動軌跡を示す展開図である。
本実施例に係るズームレンズは、光軸に沿って物体側から順に、負の屈折力を有する第１レンズ群Ｇ１と、正の屈折力を有する第２レンズ群Ｇ２と、正の屈折力を有する第３レンズ群Ｇ３と、正の屈折力を有する第４レンズ群Ｇ４とからなる。
【００３８】
第１レンズ群Ｇ１は、光軸に沿って物体側から順に、物体側に凸面を向けた負メニスカスレンズＬ１１と、両凸形状の正レンズＬ１２と両凹形状の負レンズＬ１３との接合レンズと、光路を折り曲げるためのプリズムＰと、物体側に凸面を向けた負メニスカスレンズＬ１４と両凸形状の正レンズＬ１５との接合レンズとからなる。
第２レンズ群Ｇ２は、光軸に沿って物体側から順に、開口絞りＳと、両凸形状の正レンズＬ２１と、両凸形状の正レンズＬ２２と両凹形状の負レンズＬ２３との接合レンズと、物体側に凸面を向けた正メニスカスレンズＬ２４とからなる。
【００３９】
第３レンズ群Ｇ３は、光軸に沿って物体側から順に、物体側に凸面を向けた正メニスカスレンズＬ３１と、物体側に凸面を向けた負メニスカスレンズＬ３２と、フレア絞りＦＳとからなる。
第４レンズ群Ｇ４は、光軸に沿って物体側から順に、物体側に凸面を向けた負メニスカスレンズＬ４１と、両凸形状の正レンズＬ４２とからなる。
【００４０】
本実施例に係るズームレンズにおいて、第４レンズ群Ｇ４と像面Ｉとの間には、光軸に沿って物体側から順に、撮像素子の限界解像以上の空間周波数をカットするローパスフィルタＰ１と、撮像素子の保護ガラスＰ２とが備えられている。
また、本実施例に係るズームレンズにおいてプリズムＰは、上記第１実施例におけるプリズムと同様に光路を略９０度折り曲げるための直角プリズムである。
以上の構成の下、本実施例に係るズームレンズにおいて、広角端状態（Ｗ）から望遠端状態（Ｔ）への変倍は、第１レンズ群Ｇ１及び第４レンズ群Ｇ４が固定であり、第２レンズ群Ｇ２及び第３レンズ群Ｇ３を光軸に沿って移動させることによって行われる。
以下の表３に、本発明の第３実施例に係るズームレンズの諸元の値を掲げる。
【００４１】
（表３）
［全体諸元］
ｆ    ＝   4.7   〜  12.0
Ｂｆ  ＝   0.59
ＦＮＯ＝   2.93  〜   4.99
２Ａ  ＝  81.38  〜  33.96゜
Ｙ    ＝   3.75
［レンズデータ］
面番号   ｒ       ｄ     νｄ    ｎｄ
1)   25.1051  1.2000  40.41  1.806100
*2)    5.5685  4.8000         1.000000
3)   41.8112  2.4000  29.23  1.721510
4)   -9.2533  0.8000  40.77  1.883000
5)  413.7012  0.4000         1.000000
6)     ∞     7.7000  46.58  1.804000  プリズムＰ
7)     ∞     0.4000         1.000000
8)  121.9923  0.8000  40.77  1.883000
9)   12.6608  1.7000  31.07  1.688930
*10)  -68.8661   (D1)          1.000000
11>     ∞     0.0000         1.000000  開口絞りＳ
*12)    7.6923  2.1000  61.18  1.589130
13)  -24.9919  0.2000         1.000000
14)   12.7999  2.0000  81.61  1.497000
15)  -12.7999  1.7000  36.26  1.620040
16)    5.2389  0.8000         1.000000
17)   23.5381  1.2000  55.34  1.677900
18)  131.5104   (D2)          1.000000
19)    9.9222  1.3000  81.61  1.497000
20)   25.8023  0.2000         1.000000
21)    8.3050  1.2000  25.43  1.805180
22)    6.5377  0.9000         1.000000
23)     ∞      (D3)          1.000000  フレア絞りＦＳ
24)    9.2034  0.8000  54.84  1.691000
25)    6.4052  0.8500         1.000000
26)   16.7948  2.0000  61.18  1.589130
27)  -16.7948  0.3000         1.000000
28)     ∞     1.5200  70.51  1.544370  ローパスフィルタＰ１
29)     ∞     0.5312         1.000000
30)     ∞     0.5000  64.14  1.516330  保護ガラスＰ２
31)     ∞      (Bf)          1.000000
［非球面データ］
面番号    κ        Ｃ4          Ｃ6          Ｃ8
2)    0.3848   1.36720E-04  1.08320E-06  6.25010E-08
10)  205.7082   0.00000E+00  8.82290E-07  8.88880E-08
12)   -0.0148  -4.02620E-06  3.32450E-07 -7.80010E-09
［可変間隔データ］
広角端状態  中間焦点距離状態  望遠端状態
ｆ      4.70000        7.50000       12.00000
D1     12.87094        6.30427        0.99625
D2      0.99402        6.58867        2.94859
D3      2.89541        3.86743       12.81553
Bf      0.59000        0.58999        0.59000
［条件式対応値］
（１）Ｌ１／ｆｗ＝2.043
（２）０．１（ν１−ν２）＋ｎ１＝2.924
（３）ｆ１／ｆ２＝-0.638
【００４２】
図７（ａ），（ｂ），（ｃ）はそれぞれ、本発明の第３実施例に係るズームレンズの広角端状態，中間焦点距離状態，望遠端状態における無限遠合焦時の諸収差図を示す。
各諸収差図より本実施例に係るズームレンズは、広い画角にわたって諸収差を良好に補正し、優れた結像性能を有していることがわかる。
また、本実施例に係るズームレンズは、第１レンズ群Ｇ１中で最も物体側に配置された負メニスカスレンズＬ１１を非球面レンズで構成することによって、高性能化を達成している。
【００４３】
上記各実施例によれば、光路内に光路折り曲げ素子を備え、広角端状態における画角が７７度以上の小型のズームレンズを実現することができる。
なお、上記各実施例では、上述のように光路折り曲げ素子としてプリズムＰを備える構成であるが、光路折り曲げ素子はこれに限られず、ミラー等の反射部材を用いることもできる。
【００４４】
なお、本発明の実施例として、４群構成のレンズ系を示したが、３群構成のレンズ系を構成することも可能である。また、上述の４つのレンズ群に付加レンズ群を加えただけのレンズ系を構成した場合でも本発明の効果を内在した同等のレンズ系となることは言うまでもない。また、各レンズ群内の構成においても、実施例の構成に付加レンズを加えただけのレンズ群も本発明の効果を内在した同等のレンズ群であることは言うまでもない。
なお、上記各実施例は本発明の一具体例を示しているものであり、本発明がこれに限定されるものではない。
【図面の簡単な説明】
【００４５】
【図１】本発明の第１実施例に係るズームレンズの構成図である。
【図２】本発明の第１実施例に係るズームレンズの構成、及び各レンズ群の移動軌跡を示す展開図である。
【図３】（ａ），（ｂ），（ｃ）はそれぞれ、本発明の第１実施例に係るズームレンズの広角端状態，中間焦点距離状態，望遠端状態における無限遠合焦時の諸収差図を示す。
【図４】本発明の第２実施例に係るズームレンズの構成、及び各レンズ群の移動軌跡を示す展開図である。
【図５】（ａ），（ｂ），（ｃ）はそれぞれ、本発明の第２実施例に係るズームレンズの広角端状態，中間焦点距離状態，望遠端状態における無限遠合焦時の諸収差図を示す。
【図６】本発明の第３実施例に係るズームレンズの構成、及び各レンズ群の移動軌跡を示す展開図である。
【図７】（ａ），（ｂ），（ｃ）はそれぞれ、本発明の第３実施例に係るズームレンズの広角端状態，中間焦点距離状態，望遠端状態における無限遠合焦時の諸収差図を示す。
【符号の説明】
【００４６】
Ｇ１      第１レンズ群
Ｇ２      第２レンズ群
Ｇ３      第３レンズ群
Ｇ４      第４レンズ群
Ｓ        開口絞り
ＦＳ      フレア絞り
Ｉ        像面
Ｗ        広角端状態
Ｍ        中間焦点距離状態
Ｔ        望遠端状態
【図１】
2007093984.tif 000003
【図２】
2007093984.tif 000004
【図３】
2007093984.tif 000005
【図４】
2007093984.tif 000006
【図５】
2007093984.tif 000007
【図６】
2007093984.tif 000008
【図７】
2007093984.tif 000009